(57)【要約】      （修正有）【課題】１つのクリーニングローラで各回収コンベヤのベルトの付着物を掻き落とし、ベルトコンベヤに戻す、ベルトコンベアの落荷回収装置を提供する。【解決手段】ベルトコンベヤＡに於けるヘッドプーリにより反転したリターンベルトの表面付着物を掻き落とすクリーニングローラ２を設け、この掻き落とした付着物を荷受けするようにテール側水平部が上記コンベヤのリターン側ベルトの下を横切り、上記水平部から連なって中間部が上方に延びて、この中間部から連なるヘッド部が上記ベルトコンベヤのキャリヤ側ベルトに付着物を戻すヘッド側水平部を有する主回収コンベヤＢを設け、またこの主回収コンベヤのキャリヤベルトの上記中間及びヘッド側水平部にキャリヤ側ベルトが挟持するように重なる副回収コンベヤＣを設け、さらに上記主回収コンベヤ及び副回収コンベヤのベルトの表面付着物を掻き落とすクリーニングローラ１２を設けた構成を採用する。【選択図】図１
0003195653.tif 000002
【実用新案登録請求の範囲】
【請求項１】
ベルトコンベヤに於けるヘッドプーリにより反転したリターンベルトの表面付着物を掻き落とすクリーニングローラを設け、この掻き落とした付着物を荷受けするようにテール側水平部が上記コンベヤのリターン側ベルトの下を横切り、上記水平部から連なって中間部が上方に延びて、この中間部から連なるヘッド部が上記ベルトコンベヤのキャリヤ側ベルトに付着物を戻すヘッド側水平部を有する主回収コンベヤを設け、またこの主回収コンベヤのキャリヤベルトの上記中間及びヘッド側水平部にキャリヤ側ベルトが挟持するように重なる副回収コンベヤを設け、さらに上記主回収コンベヤ及び副回収コンベヤのベルトの表面付着物を掻き落とすクリーニングローラを設けたことを特徴とするベルトコンベヤの落荷回収装置。
【考案の詳細な説明】
【技術分野】
【０００１】
この考案は、ベルトコンベヤのベルトのリターンベルトから落下する付着物を回収する落荷回収装置に関する。
【背景技術】
【０００２】
既知のように、輸送物を積載したキャリヤ側ベルトは、ヘッドプーリにより反転してリターン側ベルトになる。
すると、キャリヤ側ベルトの表面（上側）に付着した付着物が、リターン側ベルトの表面が下側になるため、リターン側ベルトの走行路に付着物が落下して堆積することになる。
【０００３】
この堆積した落下物は、運転の経過にともない増加するので、人手などにより堆積物の除去作業が必要になる。
そこで、リターン側ベルトの付着物を回収するようにした方式が既に知られている（例えば、特許文献１参照）。
【先行技術文献】
【特許文献】
【０００４】
【特許文献１】特開２００１−３１２３２号公報
【考案の概要】
【考案が解決しようとする課題】
【０００５】
ところで、特許文献１の方式は、ベルトコンベヤのリターン側ベルトの表面付着物を掻き落とし板により掻き落として、掻き落とし物を主回収ベルト上に荷受けする。
【０００６】
この荷受けした主回収ベルトの掻き落とし物は、主回収ベルトのリターン側にリターン側を重ね合わせた補助回収ベルトにより押さえ込んで（挟み込んで）上送しながら、主回収ベルトのヘッドからベルトコンベヤのキャリヤ側に排出（回収）するようになっている。
【０００７】
このような回収方式によると、主回収ベルトと補助回収ベルトとで掻き落とし物を挟持しながら搬送した際、挟持した掻き落とし物が補助回収ベルトに付着するので、補助回収ベルトの付着物の掻き落としなどによる除去手段がないため、補助回収ベルトのリターン走行路に付着物が落下し、また落下にともない堆積する不都合が発生すると共に、堆積付着物の除去作業が必要になる問題があった。
【０００８】
そこでこの考案は、上述のような問題をなくするようにした落荷回収装置を提供することにある。
【課題を解決するための手段】
【０００９】
上記の課題を解決するために、この考案は、ベルトコンベヤに於けるヘッドプーリにより反転したリターンベルトの表面付着物を掻き落とすクリーニングローラを設け、この掻き落とした付着物を荷受けするようにテール側水平部が上記コンベヤのリターン側ベルトの下を横切り、上記水平部から連なって中間部が上方に延びて、この中間部から連なるヘッド部が上記ベルトコンベヤのキャリヤ側ベルトに付着物を戻すヘッド側水平部を有する主回収コンベヤを設け、またこの主回収コンベヤのキャリヤベルトの上記中間及びヘッド側水平部にキャリヤ側ベルトが挟持するように重なる副回収コンベヤを設け、さらに上記主回収コンベヤ及び副回収コンベヤのベルトの表面付着物を掻き落とすクリーニングローラを設けた構成を採用する。
【考案の効果】
【００１０】
以上のように、この考案によれば、ベルトコンベヤのベルトに付着した付着物をクリーニングローラにより掻き落として、この掻き落とした付着物を主回収コンベヤのテール側水平部で荷受けし、そしてこの主回収コンベヤと副回収コンベヤの両ベルトで付着物を挟持しながら上送して、副回収コンベヤのヘッド側水平部からコンベヤのキャリヤ側に戻すようにしてあるので、コンベヤのリターン側に付着物が落下し、落下にともなう堆積物を人手などで回収（除去）する手間のかかる作業が不要になると共に、主回収コンベヤ及び副回収コンベヤのベルトに付着した付着物を１つのクリーニングローラで除去し（掻き落とし）、この除去した付着物をベルトコンベヤのキャリヤ側に戻す特有な効果がある。
【図面の簡単な説明】
【００１１】
【図１】この考案の実施例を示す一部縦断正面図である。
【図２】同上の要部を示す拡大側面図である。
【考案を実施するための形態】
【００１２】
この考案の実施形態を添付図面に基づいて説明する。
図１に示すＡは、ベルトコンベヤである。
上記ベルトコンベヤＡの構成は、周知につき詳細な説明を省略する。
【００１３】
また、ベルトコンベヤＡのベルトａの表面に付着した付着物は、コンベヤＡのヘッドプーリの付近で、リターン側ベルトａの表面に外周面を接触させたクリーニングローラ２で掻き落とすようにしてある。
【００１４】
上記のクリーニングローラ２は、図示の場合、例えばコンベヤＡのヘッドプーリからスプロケットにかけ渡したチェーンにより構成した伝達手段（図示省略）によってドライブするか、或いはベルトａに接触させてドライブするなどにより行う。
【００１５】
なお、クリーニングローラ２は、図示の場合、円周上に複数本並設した支承杆３と、この支承杆３に巻回した螺旋杆４（この螺旋杆４は、図示の場合、中央から片端に左巻回し、中央からもう片端に右巻回して、掻き落としながら両端に掻き落とし付着物を送るようにしてある）とで構成したが、限定されず、例えばローラの外周面に螺旋状の突条や溝条を設けたものであってもよい。
【００１６】
また、上記掻き落とした付着物を荷受けするようにテール側水平部がコンベヤＡのリターン側ベルトａの下を横切り、横切った水平部から連なって中間部が上方に延びて、この中間部から連なるヘッド部がベルトコンベヤＡのキャリヤ側ベルトａ上に付着物を戻すヘッド側水平部を有する主回収コンベヤＢを設ける。
【００１７】
さらに、主回収コンベヤＢのキャリヤベルトの中間及びヘッド側水平部にキャリヤ側ベルトが挟持するように重なる副回収コンベヤＣを設けると共に、主回収コンベヤＢ及び副回収コンベヤＣのベルト表面の付着物を掻き落とすクリーニングローラ１２を設けておく。
【００１８】
このクリーニングローラ１２の構成は、前述のクリーニングローラ２と同様につき詳細な説明を省略する（当然、構成は限定されない）。
【００１９】
そして、クリーニングローラ１２は、図示の場合、駆動源としてのモーター１３によりドライブされる主回収コンベヤＡのプーリ１１からスプロケットにかけ渡したチェーンにより構成した伝達手段１５によってドライブするようにしてあるが、限定されず、例えばモーター１３によりドライブする方式などを採用すればよい。
【００２０】
上記のように構成すると、ベルトコンベヤＡのベルトａに付着した付着物をクリーニングローラ２により掻き落として、この掻き落とした付着物を主回収コンベヤＢのテール側水平部で荷受けし、この荷受けした付着物を主回収コンベヤＢと副回収コンベヤＣとで付着物を挟持しながら上送して、副回収コンベヤＣのヘッド側水平部からベルトコンベヤＡのキャリヤ側ベルトａ上に戻す。
【００２１】
そして、主回収コンベヤＢ及び副回収コンベヤＣのベルトに付着した付着物をクリーニングローラ１２で掻き落としてベルトコンベヤＡのキャリヤ側に戻す。
【符号の説明】
【００２２】
Ａ  ベルトコンベヤ
ａ  ベルト
Ｂ  主回収コンベヤ
Ｃ  副回収コンベヤ
２  クリーニングローラ
３  支持杆
４  螺旋杆
１１  プーリ
１２  クリーニングローラ
１３  モーター
１５  伝達手段
【図１】
0003195653.tif 000003
【図２】
0003195653.tif 000004
【手続補正書】
【提出日】平成26年11月14日(2014.11.14)
【手続補正１】
【補正対象書類名】図面
【補正対象項目名】図２
【補正方法】変更
【補正の内容】
【図２】
0003195653.tif 000005